(57)【要約】【課題】オンラインヘルプをディスプレイに表示したままの状態で、ユーザがブラウザを終了させないでも、他のアプリケーションを実行すること。【解決手段】ＨＴＭＬオンラインヘルプ１０６２中に他のアプリケーションプログラム１０６３ｎの”helpfunc.execapp()”関数のオブジェクトが記述されており、ユーザによりそのオブジェクトが選択されると、ＣＰＵ１０５は、ブラウザ１０６１に実装されたhelpfunc関数中の実行命令であるexecappメソッド（命令）を実行して、その引数として与えられた他のアプリケーション１０６３ｎをアプリケーションテーブル１０６４にて検索して実行する。このため、ＨＴＭＬオンラインヘルプ１０６２がディスプレイ１０７に表示された状態でも、ＣＰＵ１０５は、ブラウザ１０６１上でそのexecappメソッド（命令）を実行して、それに対応した他のアプリケーションプログラム１０６３ｎを実行する。【選択図】図１
2008198054.tif 000002
【特許請求の範囲】
【請求項１】
オンラインヘルプデータをディスプレイに表示するオンラインヘルプデータ表示装置であって、
他のアプリケーションプログラムを実行させるための実行命令を引数とする関数が記述されたオンラインヘルプデータを前記ディスプレイに表示すると共に、前記実行命令が記述されたブラウザプログラムを記憶した記憶手段と、
前記オンラインヘルプデータを前記ブラウザプログラムの実行により前記ディスプレイに表示すると共に、前記ディスプレイ表示された前記オンラインヘルプデータにて前記実行命令が選択された場合、前記実行命令に対応した他のアプリケーションプログラムを実行する命令実行手段と、
を有するオンラインヘルプデータ表示装置。
【請求項２】
請求項１記載のオンラインヘルプデータ表示装置において、
前記ブラウザプログラムには、前記実行命令がjavascriptにより記述されており、
前記オンラインヘルプデータには、前記実行命令を引数とする関数が記述されていることを特徴とするオンラインヘルプデータ表示装置。
【発明の詳細な説明】
【技術分野】
【０００１】
本発明は、オンラインヘルプデータをディスプレイに表示するデジタル放送受信装置等のオンラインヘルプデータ表示装置に関する。
【背景技術】
【０００２】
近年、各種アプリケーションプログラムを実行可能なデジタル放送受信装置等のデジタル家電が普及しており、アプリケーションの使用方法も多様化する傾向が出てきた。
【０００３】
しかし、ユーザが使用したいと思うアプリケーションプログラムでも、設定や使用方法が難しく、使いづらい、呼び出し方がわからない、というアプリケーションプログラムが存在するようになってきた。
【０００４】
使えないアプリケーションプログラムについて、その使用方法を、取扱説明書を読みながら操作を行えば良いが、実際にアプリケーションプログラムを動作させながら取扱説明書を読むと、デジタルテレビ受信機と手元の取扱説明書の間を、目が行き来することとなり、手元の取扱説明書と画面の食い違いが生じることになり、非常に使い勝手が悪かった。
【０００５】
そのため、オンラインヘルプ等をディスプレイに表示してユーザに参照させるようにしたオンラインヘルプ（オンラインマニュアルともいう。）を採用したデジタル放送受信装置等のオンラインヘルプデータ表示装置が採用され始めている（例えば、特許文献１を参照）。オンラインヘルプの利点としては、ＨＴＭＬ言語などで記述された取扱説明書が予めデジタル放送受信装置内の記憶装置やインターネット上のサーバに格納されているため、紛失などの心配もなく、ペーパーレスを図ることができるので、コストも低減できる。
【特許文献１】特開２００１−２２２３５８号公報
【発明の開示】
【発明が解決しようとする課題】
【０００６】
しかし、上記特許文献１に記載の従来技術では、ヘルプ表示ボタンが押下された場合、ＨＴＭＬオンラインヘルププログラムが起動してＨＴＭＬオンラインヘルプ画面が表示されるが、パソコンのブラウザブログラム自身が他のアプリケーションプログラムを起動させる機能を有しているため、ブラウザブログラム自身が他のアプリケーションプログラムを起動させる機能を有していないデジタル放送受信装置では、ブラウザブログラムによりＨＴＭＬオンラインヘルプ画面をディスプレイに表示した状態から他のアプリケーションプログラムを実行する場合、ユーザがいったんそのブラウザブログラムを閉じた後、他のアプリケーションプログラムを起動しなければならず、ユーザの操作が煩わしい、という問題があった。
【０００７】
特に、マウスを入力手段の一つとして使用するパソコン等と異なり、ボタンを主に使用するリモコンを入力手段として使用するデジタル放送受信装置では、なおさらそのいったんそのブラウザブログラムを閉じるという操作がユーザにとって煩わしかった。
【０００８】
そこで、本発明は、オンラインヘルプをディスプレイに表示したままの状態で、ユーザがブラウザブログラムを終了させる操作をしないでも、他のアプリケーションプログラムを実行することができるオンラインヘルプデータ表示装置を提供することを目的とする。
【課題を解決するための手段】
【０００９】
上記問題点を解決するために、本発明のオンラインヘルプデータ表示装置は、オンラインヘルプデータをディスプレイに表示するオンラインヘルプデータ表示装置であって、他のアプリケーションプログラムを実行させるための実行命令を引数とする関数が記述されたオンラインヘルプデータを前記ディスプレイに表示すると共に、前記実行命令が記述されたブラウザプログラムを記憶した記憶手段と、前記オンラインヘルプデータを前記ブラウザプログラムの実行により前記ディスプレイに表示すると共に、前記ディスプレイ表示された前記オンラインヘルプデータにて前記実行命令が選択された場合、前記実行命令に対応した他のアプリケーションプログラムを実行する命令実行手段と、を有するオンラインヘルプデータ表示装置である。ここで、前記ブラウザプログラムには、前記実行命令がjavascript（登録商標。以下同じ。）により記述されており、前記オンラインヘルプデータには、前記実行命令を引数とする関数が記述されていても良い。
【発明の効果】
【００１０】
本発明のオンラインヘルプデータ表示装置によれば、他のアプリケーションプログラムを実行させるための実行命令を引数とする関数が記述されたオンラインヘルプをブラウザプログラムの実行により前記ディスプレイに表示すると共に、表示された前記オンラインヘルプにて前記実行命令が選択された場合、前記実行命令に対応した他のアプリケーションプログラムを実行するようにしたので、ブラウザプログラムの実行によりオンラインヘルプがディスプレイに表示された状態で、ユーザがブラウザプログラムを終了させる操作をしないでも、ブラウザプログラムを終了自動的に終了させ、他のアプリケーションプログラムを実行することができる。
【発明を実施するための最良の形態】
【００１１】
以下、本発明のオンラインヘルプデータ表示装置の一実施の形態として、デジタル放送受信装置を一例に説明する。なお、本実施の形態では、オンラインヘルプ（オンラインマニュアルと呼ぶ場合もあるが、以下、オンラインヘルプで統一する。）として、ＨＴＭＬ言語で記述されたＨＴＭＬオンラインヘルプを一例に説明する、ここで、このＨＴＭＬオンラインヘルプには、ＨＴＭＬ文章だけでなく、画像コンテンツやＣＧ等が貼り付けられていても勿論よく、さらには、ＨＴＭＬ言語以外のＢＭＬ（Broadcast   Markpup  Language）言語や、ＸＭＬ（eXtensible Markup Language）言語やＸＨＴＭＬ（eXtensible HyperText Markup Language）言語等の構造化言語、すなわちタグで囲まれたハイパーリンクによって他のハイパーテキストにリンクするような構造化言語で記述されたコンテンツでも勿論対象となる。
【００１２】
図１は、本発明のオンラインヘルプデータ表示装置の一実施の形態であるデジタル放送受信装置の構成例を示すブロック図である。
【００１３】
図１において、本実施の形態のデジタル放送受信装置１００は、アンテナ１１０を介し放送番組を受信する信号受信処理手段１０１、受信データ分離部１０２、デコーダ１０３、インターネット１３０を介し各種サーバ（図示せず）から各種情報を取得するネットワークＩ／Ｆ１０４、命令実行手段としてのＣＰＵ１０５、ブラウザプログラム（以下、ブラウザと略す場合もある。）１０６１やＨＴＭＬオンラインヘルプ１０６２、複数のアプリケーションプログラム(以下、アプリケーションと略す場合もある。)１０６３ｎ、および後述するアプリケーションテーブル１０６４が記憶されたメモリ１０６、テレビモニタ等のディスプレイ１０７、リモコン１２０からの各種操作指令を受信するリモコンＩ／Ｆ１０８を有している。なお、図１に示すデジタル放送受信装置１００では、スピーカ等は、本発明とは直接関係しないので、省略して示している。
【００１４】
そして、本実施の形態のブラウザ１０６１には、javascriptにより、通常のブラウザでは存在しない、helpfuncオブジェクトが作成してあり、execappというメソッド（命令）が実装されている。
【００１５】
図２は、本実施の形態のＨＴＭＬオンラインヘルプの一例を示す図である。
【００１６】
図２に示すＨＴＭＬオンラインヘルプ１０６２には、ＨＴＭＬ言語により、例えば、“番組表の使い方”というタイトル２１０で、“番組表に関しての説明（略）”のＨＴＭＬ文章２２０が記述されている。そして、その“番組表に関しての説明（略）”のＨＴＭＬ文章２２０の中に、
</select><a href="＃" onclick=javascript:showepg(timeform.time.value)>○○時の番組表を見る</a>
というJavaScriptにより記述された他のアプリケーションであるメインメニュー（mainmenu）のアプリケーションの実行命令“helpfunc.execapp("epgmenu",time)”２４０へのオブジェクト２３０が記述されている。
【００１７】
図３は、本実施の形態で実行されるアプリケーションの一覧を示すアプリケーションテーブル１０６４の一例を示す図である。
【００１８】
アプリケーションテーブル１０６４は、メモリ１０６やＣＰＵ１０５内のキャッシュ等に記憶されるもので、本例では、便宜上、メモリ１０６内に記憶されている。そして、ＣＰＵ１０５は、本実施の形態のブラウザ１０６１に実装されたJavaScriptで記述されたhelpfunc関数中の実行命令であるexecappメソッド（命令）を実行して、その引数として与えられたアプリケーション１０６３nをアプリケーションテーブル１０６４にて検索し実行する。
【００１９】
ここで、図３に示すアプリケーションテーブル１０６４では、ブラウザ１０６１に実装されたJavaScriptのexecappメソッド（命令）の引数が"epgmenu"の場合、ＣＰＵ１０５は、ブラウザ１０６１上でＥＰＧメニューアプリケーション１０６３１を実行し、JavaScriptのexecappメソッド（命令）の引数が"mainmenu"の場合、ＣＰＵ１０５は、ブラウザ１０６１上でメインメニューアプリケーション１０６３２、JavaScriptのexecappメソッド（命令）の引数が"settingmenu"の場合、ＣＰＵ１０５は、ブラウザ１０６１上で設定メニューアプリケーション１０６３３を実行する。
【００２０】
次に動作を説明する。
【００２１】
図４は、本実施の形態におけるデジタル放送受信装置１００におけるアプリケーション実行までの処理手順を示すフローチャートである。
【００２２】
まず、ユーザが知りたい内容のＨＴＭＬオンラインヘルプの起動の指令をデジタル放送受信装置１００に与えると、デジタル放送受信装置１００のＣＰＵ１０５がメモリ１０６に格納されているブラウザ１０６１を読み出し実行して、ユーザにより指定されたＨＴＭＬオンラインヘルプ１０６２をディスプレイ１０７に表示する（Ｓ４００）。なお、このＨＴＭＬオンラインヘルプ１０６２は、工場出荷時や販売時に予め本装置に格納され記憶されていたものでも、ユーザがネットワークＩ／Ｆ１０４を介してインターネット１３０からダウンロード等したものでも勿論どちらでも良い。
【００２３】
次に、そのディスプレイ１０７上に表示されたＨＴＭＬオンラインヘルプ１０６２にＨＴＭＬ文章や画像等によって記述された、例えば、“番組表の使いかた”というタイトル２１０の“番組表に関しての説明”のＨＴＭＬ文書２２０が表示されており、ユーザがそのＨＴＭＬ文書２２０を参照してその使用方法等を理解する。この場合、他のアプリケーションである番組表メニュープログラム１０６３１を選択する場合、例えば、“ＯＯ”という時間を選択して「○○時の番組表を見る」というオブジェクト２３０を押下すると、ＣＰＵ１０５は、このオブジェクト２３０が押下されたことを検出して（ステップＳ４１０）、図２に示すように“showepg (timeform.time.value)”というオブジェクト２３０を実行する。その際、アプリケーション１０６３nの指定だけでなく、パラメータとしてユーザが選択した“ＯＯ”という時間をブラウザ１０６１に渡す。
【００２４】
すると、このブラウザ１０６１には、JavaScriptでhelpfuncオブジェクトが作成され、execappというメソッド（命令）が実装されているので、ＣＰＵ１０５は、ブラウザ１０６１に実装されたhelpfunc関数中の実行命令であるexecappメソッド（命令）を実行して、その引数として与えられたアプリケーション１０６３nを、例えば図３に示すようなアプリケーションテーブル１０６４を参照し検索して実行する。
【００２５】
図２に示す例の場合、ＨＴＭＬオンラインヘルプ１０６２中に記述された"showepg (timeform.time.value)"というオブジェクト２３０が実行されると、ブラウザ１０６１中に新規追加されている独自メソッドである“execapp”を実装したhelpfunc.execapp("epgmenu",time)がコールされることで、ＣＰＵ１０５は、引数である"epgmenu"を元に図３に示すようなアプリケーションテーブル１０６４を参照して、該当する番組表アプリケーション１０６３１を検索する（ステップＳ４３０）
【００２６】
そして、ＣＰＵ１０５は、アプリケーションテーブル１０６４を参照して、"epgmenu"に対応する番組表アプリケーション１０６３１が見つかると、ブラウザ１０６１上で"epgmenu"に対応する番組表アプリケーション１０６３１を起動して、ユーザが選択した“ＯＯ”という時間のパラメータを元に番組表アプリケーション１０６３１を実行して、今までディスプレイ１０７に表示していたＨＴＭＬオンラインヘルプ１０６２の画面から直接他のアプリケーションである番組表アプリケーション１０６３１による“ＯＯ”という時間の番組表メニュー画面を表示することになる（ステップＳ４４０）。
【００２７】
図５に、本実施の形態のデジタル放送受信装置１００における動作タイミングを示すタイミングチャートである。
【００２８】
まず、ブラウザ１０６１によりＨＴＭＬオンラインヘルプ１０６２の画面が表示されていた際、ユーザによりそのＨＴＭＬオンラインヘルプ１０６２画面から他のアプリケーションの選択があると、ＣＰＵ１０５は、ＨＴＭＬオンラインヘルプ１０６２に記述された“show○○menu()”オブジェクトというオブジェクト２３０が実行されると、ブラウザ１０６１中に新規追加されている独自メソッドである“execapp”を実装したhelpfunc.execapp("○○menu")がコールされて実行されることで、“execapp”の引数を元に図３に示すようなアプリケーションテーブル１０６４を参照して、起動するアプリケーション１０６３ｎを取得する。
【００２９】
そして、ＣＰＵ１０５は、アプリケーションテーブル１０６４を参照して取得した外部のアプリケーション１０６３ｎをブラウザ１０６１上で起動して、ＨＴＭＬオンラインヘルプ１０６２の画面から直接起動した他のアプリケーションであるアプリケーション１０６３ｎの画面をディスプレイ１０７に表示する。
【００３０】
図６は、本実施の形態におけるＨＴＭＬオンラインヘルプ１０６２によりディスプレイ１０７上に表示されるＨＴＭＬオンラインヘルプ画面の一例を示している。
【００３１】
図６に示すＨＴＭＬオンラインヘルプ画面６００は、ＨＴＭＬオンラインヘルプ１０６２によりディスプレイ１０７上に表示される複数のオンラインヘルプ画面の一つの一例を示しており、“番組表で番組を探す”方法を示すＨＴＭＬオンラインヘルプ画面である。
【００３２】
このＨＴＭＬオンラインヘルプ画面６００には、“○○時の番組表を見る”というボタンないしはリンク６１０が設けられており、“○○時”の時間○○を選択して、このボタンないしリンク６１０が押下されることにより、例えば、図２に示す例の場合、ＨＴＭＬオンラインヘルプ１０６２中に記述された"showepg (timeform.time.value)"というオブジェクト２３０が実行され、ブラウザ１０６１中に新規追加されている独自メソッドである“execapp”を実装したhelpfunc.execapp("epgmenu",time)がコールされることで、ＣＰＵ１０５は、引数である"epgmenu"を元に図３に示すようなアプリケーションテーブル１０６４を参照して、該当する番組表アプリケーション１０６３１を検索して、ブラウザ１０６１上で別のアプリケーションである番組表アプリケーション１０６３１を起動する。
【００３３】
その結果、ブラウザ１０６１上における番組表アプリケーション１０６３１の実行により、例えば、ＨＴＭＬオンラインヘルプ画面６００から直接、つまりＨＴＭＬオンラインヘルプ画面６００をわざわざ閉じることなく、図７に示すようなＨＴＭＬの番組表メニュー（epgmenu）画面７００が表示されることになる。
【００３４】
図７は、他のアプリケーションである番組表のアプリケーション１０６３１により表示される番組表メニュー（epgmenu）画面７００の一例を示す図である。
【００３５】
番組表メニュー（epgmenu）画面７００により、ユーザは時間や番組を指定して、番組予約や視聴を行うことができる。
【００３６】
図７に示す番組表メニュー（epgmenu）画面７００の例では、ＣＰＵ１０５が図６に示すようなＨＴＭＬオンラインヘルプ画面６００をブラウザ１０６１上で表示し、ユーザが実際に番組表を見たいとき、ＨＴＭＬオンラインヘルプ画面６００上で時間を指定して「○○時の番組表を見る」というオブジェクト２３０を押すことで、番組表アプリケーション１０６３１に時間情報がパラメータとして渡され、図７のようにユーザが指定した時間帯（この例では午後11時）の番組表メニュー（epgmenu）画面７００が表示されることを示している。
【００３７】
このように、本実施の形態のデジタル放送受信装置１００によれば、ＨＴＭＬオンラインヘルプ１０６２中に他のアプリケーションの”helpfunc.execapp()”関数のオブジェクトが記述されており、そのオブジェクトが選択され、ブラウザ１０６１に実装されたJavaScriptで記述されたhelpfunc関数中の実行命令であるexecappメソッド（命令）を実行して、その引数として与えられた他のアプリケーション１０６３ｎをアプリケーションテーブル１０６４にて検索し実行するようにしたので、ブラウザ１０６１によりＨＴＭＬオンラインヘルプ１０６２をディスプレイ１０７に表示したままの状態で、ユーザがブラウザ１０６１を終了させる操作をしないでも、ブラウザ１０６１が自動的に終了して、他のアプリケーションプログラム１０６３ｎを実行することができる。
【００３８】
その結果、マウスを入力手段の一つとして使用するパソコン等と異なり、ボタンを主に使用するリモコン１２０を入力手段として使用するデジタル放送受信装置１００でも、ＨＴＭＬオンラインヘルプ１０６２を閉じる等の処理をすることなく、簡単なボタン操作でＨＴＭＬオンラインヘルプ１０６２から直接他のアプリケーションプログラム１０６３ｎを実行することができる。
【００３９】
また、ＨＴＭＬオンラインヘルプ１０６２の画面上から、説明している他のアプリケーションプログラム１０６３ｎをボタン一つで実行できる機能を持つＨＴＭＬオンラインヘルプを、Ｗｅｂデザインにより、柔軟に、作成にかかる工数と費用を大幅に削減しつつ製作することができる。
【００４０】
また、既存のブラウザ１０６１中にJavaScriptでhelpfuncオブジェクトを作成して、execappというメソッド（命令）を実装して、ＨＴＭＬオンラインヘルプ１０６２中に他のアプリケーションの”helpfunc.execapp()”関数のオブジェクトが記述されており、そのオブジェクトが選択されることによりhelpfunc関数中の実行命令であるexecappメソッド（命令）を実行して、その引数として与えられた他のアプリケーション１０６３ｎを実行するようにしているので、クライアントサーバシステムの構築が容易になり、インターネット１３０等のネットワーク上に用意されたＨＴＭＬオンラインヘルプ等のコンテンツに対してもシームレスに表示することが可能であるというメリットもある。
【００４１】
なお、上記説明では、ＨＴＭＬオンラインヘルプ１０６２中に他のアプリケーションプログラム１０６３ｎを実行するためJavascript（登録商標）により記述したhelpfunc関数中の実行命令であるexecappメソッド（命令）が一つのみ記述されている場合を例に説明したが、本発明では、これに限らず、ＨＴＭＬオンラインヘルプ１０６２中に他のアプリケーションプログラム１０６３ｎを実行するためJavascriptにより記述したhelpfunc関数中の実行命令であるexecappメソッド（命令）が２つ以上記述されていても勿論よい。
【００４２】
図８は、本実施の形態のＨＴＭＬオンラインヘルプの他の例を示す図である。
【００４３】
図８に示すＨＴＭＬオンラインヘルプ１０６２には、ＨＴＭＬ言語により、例えば、“機能呼び出しメニュー”というタイトル８１０でＨＴＭＬオンラインヘルプ１０６２が記述されており、ＨＴＭＬオンラインヘルプ１０６２の中に、
<a href="＃" onclick=javascript:showmainmenu()>メインメニューを表示</a><br>
というJavaScriptにより記述された他のアプリケーションであるメインメニュー（mainmenu）のアプリケーションの実行命令“helpfunc.execapp("mainmenu")”８４０へのオブジェクト８２０と、
<a href="＃" onclick=javascript:showsetmenu()>設定メニューを表示</a><br>
というJavaScriptにより記述された他のアプリケーションである設定メニュー（mainmenu）のアプリケーションの実行命令“helpfunc.execapp("settingmenu")”８５０へのオブジェクト８３０とが記述されている。
【００４４】
図９は、図８に示すＨＴＭＬオンラインヘルプ１０６２によりディスプレイ１０７に表示される画面例を示している。
【００４５】
図９に示すように、図８に示すＨＴＭＬオンラインヘルプ１０６２によりディスプレイ１０７上には、ＨＴＭＬオンラインヘルプ画面９００が表示されており、ＨＴＭＬオンラインヘルプ画面９００上には、オブジェクト８２０により“メインメニューを表示”というボタン９２０と、オブジェクト８３０により“設定メニューを表示”というボタン９３０とが表示されている。
【００４６】
そして、ユーザによりＨＴＭＬオンラインヘルプ１０６２中の“メインメニューを表示”というボタン９２０が選択されることにより、図８に示すメインメニュー（mainmenu）のアプリケーションの実行命令“helpfunc.execapp("mainmenu")”８４０が実行され、メインメニュー画面９４０がディスプレイ１０７に表示される。
【００４７】
その一方、ユーザによりＨＴＭＬオンラインヘルプ１０６２中の“設定メニューを表示”というボタン９３０が選択されることにより、図８に示す設定メニュー（settingmenu）のアプリケーションの実行命令“helpfunc.execapp("settingmenu")”８５０が実行され、設定メニュー画面９５０がディスプレイ１０７に表示されることになる。
【産業上の利用可能性】
【００４８】
本発明のオンラインヘルプデータ表示装置によれば、オンラインヘルプをディスプレイに表示したままの状態で、ユーザが手動でブラウザを終了させないでも、他のアプリケーションを実行することができ、本発明に係るブラウザを搭載したハードディスクレコーダや、デジタル放送テレビ等のデジタル放送受信装置や、カムコーダー等のオンラインヘルプデータを表示する各種オンラインヘルプデータ装置に利用できる。
【図面の簡単な説明】
【００４９】
【図１】発明のオンラインヘルプデータ表示装置の一実施の形態であるデジタル放送受信装置の構成例を示すブロック図である。
【図２】実施の形態のＨＴＭＬオンラインヘルプの一例を示す図である。
【図３】実施の形態で実行されるアプリケーションの一覧を示すアプリケーションテーブルの一例を示す図である。
【図４】実施の形態におけるデジタル放送受信装置におけるアプリケーション実行までの処理手順を示すフローチャートである。
【図５】実施の形態のデジタル放送受信装置における動作タイミングを示すタイミングチャートである。
【図６】実施の形態におけるＨＴＭＬオンラインヘルプによりディスプレイ上に表示されるＨＴＭＬオンラインヘルプ画面の一例を示す図である。
【図７】番組表のアプリケーションにより表示される番組表メニュー画面の一例を示す図である。
【図８】実施の形態のＨＴＭＬオンラインヘルプの他の例を示す図である。
【図９】図８に示すＨＴＭＬオンラインヘルプによりディスプレイに表示される画面例を示す図である。
【符号の説明】
【００５０】
１００  デジタル放送受信装置（オンラインヘルプデータ表示装置）
１０１  信号受信処理手段
１０２  受信データ分離部
１０３  デコーダ
１０４  ネットワークＩ／Ｆ
１０５  ＣＰＵ（命令実行手段）
１０６  メモリ（記憶手段）
１０７  ディスプレイ
１０８  リモコンＩ／Ｆ
１１０  アンテナ
１２０  リモコン
１３０  インターネット
１０６１  ブラウザプログラム
１０６２  ＨＴＭＬオンラインヘルプ（オンラインヘルプ）
１０６３ｎ  アプリケーション
【図１】
2008198054.tif 000003
【図２】
2008198054.tif 000004
【図３】
2008198054.tif 000005
【図４】
2008198054.tif 000006
【図５】
2008198054.tif 000007
【図８】
2008198054.tif 000008
【図９】
2008198054.tif 000009
【図６】
2008198054.tif 000010
【図７】
2008198054.tif 000011